(57)【要約】【課題】１０キーを採用していない場合でも、手間をかけずに少ない操作回数で所望のデータを選択することができる記録媒体再生装置を提供することである。【解決手段】記録媒体再生装置１０は、それぞれ機能が与えられた複数のスイッチ１１ａ〜１１ｍが備えられた操作部１２と、ＬＣＤからなる表示部１３と、ＭＤを装填する記録媒体装填部１４とから構成される。１１ａは音量を調節できる音量調節ツマミであるとともに、トラック選択モード下では所定数のデータ毎にカーソル移動させる早送りスイッチとして機能する。１１ｂは表示部１３に表示画像が選択可能な場合に所望の位置に１つずつ順にカーソル移動させる順送りスイッチとしてのＵＰ／ＤＯＷＮキーである。【選択図】　　　図１
2004103062.tif 000002
【特許請求の範囲】
【請求項１】
複数のトラックが記録されている記録媒体から所望のトラックを選択して再生可能な記録媒体再生装置において、
１トラック毎のトラックジャンプを選択する第１のスイッチと、
２以上の所定数のトラック毎のトラックジャンプを選択する第２のスイッチとを備えることを特徴とする記録媒体再生装置。
【請求項２】
前記第２のスイッチは、モードの切替えによって、トラックの選択が可能なモードの場合はトラックジャンプを選択するスイッチとして機能し、トラックの選択が可能でないモードの場合はトラックジャンプを選択する以外のスイッチとして機能することを特徴とする請求項１記載の記録媒体再生装置。
【請求項３】
前記第２のスイッチは、トラックの選択が可能でないモードの場合は、再生時の音量を調整する音量調整スイッチとして機能することを特徴とする請求項２記載の記録媒体再生装置。
【請求項４】
前記第１のスイッチは、１トラック毎のトラックジャンプを選択するスイッチと、モードの切替えを行うモード切替えスイッチと兼用であることを特徴とする請求項２記載の記録媒体再生装置。
【請求項５】
前記音量調整スイッチの音量の大きさを表す目盛りに対応したトラック数のトラックジャンプを行うことを特徴とする請求項３記載の記録媒体再生装置。
【発明の詳細な説明】
【０００１】
【発明の属する技術分野】
本発明は、複数のデータが記録されている記録媒体から所望のデータを選択して再生可能な記録媒体再生装置に関するものである。
【０００２】
【従来の技術】
従来のＣＤやＭＤ再生装置等の記録媒体再生装置においては、記録媒体の所望のトラックを再生する場合は、１０キー入力を使用して直接トラックの番号を入力する方法や、１０キーを採用していない装置ではＵＰ／ＤＯＷＮキー等を使用して選択する方法が用いられていた。
【０００３】
しかし、トラック数が多くなれば１０キー入力を採用していない装置では、ＵＰ／ＤＯＷＮキーを所望のトラックの数だけ繰り返し押下しなければならなく、大変手間がかかっていた。また、１０キー入力でも１０キー専用の入力スペースや１０キーを配設したリモコン等が必要になり、コストアップやデザインに影響を与えることになる。特に車載用やポータブル用の装置において１０キーの配置スペースとデザインに困難が生じやすい。
【０００４】
ところで、キーの配置スペースが制限されている場合でもユーザの好みに応じて所望の入力操作をワンタッチで実行できる車載機器の操作システムが開示されている（例えば、特許文献１参照。）。これにより、ユーザが予めよく使用する操作を登録しておくことでキーを長押しするだけで所望の操作を行うことができる。
【０００５】
【特許文献１】
特開２００２−２４１６号公報（第３−６頁、第２図）
【０００６】
【発明が解決しようとする課題】
しかしながら、特許文献１の技術は、所望の操作を予め登録しておかなければならない。そのため、上記のＣＤやＭＤ等のトラック選択時の番号のように適時変化するものには適用することができない。従って、例えば、１０キーを採用していない装置において１００トラックある中から７５トラックのデータを再生したい場合、ＵＰ／ＤＯＷＮキーを７５回押下しなければならず、大変な手間を要する。
【０００７】
本発明は、上記の問題点に鑑み、１０キーを採用していない場合でも、手間をかけずに少ない操作回数で所望のデータを選択することができる記録媒体再生装置を提供することを目的とする。
【０００８】
【課題を解決するための手段】
上記目的を達成するために本発明の記録媒体再生装置は、複数のデータが記録されている記録媒体から所望のデータを選択して再生可能な記録媒体再生装置において、１トラック毎のトラックジャンプを選択する第１のスイッチと、２以上の所定数のトラック毎のトラックジャンプを選択する第２のスイッチとを備えることを特徴とするものである。
【０００９】
この構成によると、スペースやデザインのため従来のように１０キーを採用できない場合でも、第１のスイッチと第２のスイッチを効率的に利用することにより、手間をかけずに少ない操作回数で所望のデータを選択することができる。
【００１０】
また上記の記録媒体再生装置において、前記第２のスイッチは、モードの切替えによって、トラックの選択が可能なモードの場合はトラックジャンプを選択するスイッチとして機能し、トラックの選択が可能でないモードの場合はトラックジャンプを選択する以外のスイッチとして機能するようにすることができ、操作部のスペースを有効に利用することができる。
【００１１】
また前記第２のスイッチは、トラックの選択が可能でないモードの場合は、再生時の音量を調整する音量調整スイッチとして機能することができる。通常、音量調節スイッチとしてはツマミが採用されることが多く、該ツマミを回転させることにより、より素早く容易に所望のデータを選択することができる。
【００１２】
また上記の記録媒体再生装置において、前記第１のスイッチは、１トラック毎のトラックジャンプを選択するスイッチと、モードの切替えを行うモード切替えスイッチと兼用とすることができる。トラックの選択に関する機能のスイッチを押下すればトラックの選択が可能なモードになるので、専用のモード選択キー等を設ける必要がなく、更に使用者は迷うことなくモードの切替えを行うことができる。
【００１３】
また上記の記録媒体再生装置において、前記音量調整スイッチの音量の大きさを表す目盛りに対応したトラック数のトラックジャンプを行うことができ、使用者は目盛りを見ながらトラックジャンプさせる数がわかる。
【００１４】
【発明の実施の形態】
以下に本発明の実施形態を図面を参照して説明する。図１は、記録媒体再生装置１０の正面図である。図１において記録媒体再生装置１０は車載用のＭＤ再生装置を例に示している。
【００１５】
図１の記録媒体再生装置１０は、それぞれ機能が与えられた複数のスイッチ１１ａ〜１１ｍが備えられた操作部１２と、ＬＣＤからなる表示部１３と、ＭＤを装填する記録媒体装填部１４とから構成される。また、１１ａは時計回り／反時計回りに回転させることにより音量を調節できる音量調節ツマミであるとともに、再生トラックの選択画面が表示されている場合には所定数（例えば１０）のトラック毎にカーソル移動させる早送りスイッチとして機能する。１１ｂは表示部１３の表示画像が選択可能な場合に所望の位置に１つずつ順にカーソル移動させる順送りスイッチとしてのＵＰ／ＤＯＷＮキーである。１１ｃは記録媒体の再生／一時停止キー、１１ｄは停止キー、１１ｅはＦＦキー、１２ｆはＲＥＷキーである。１１ｇ〜１１ｍはそれぞれ個別の機能を有しているがここでは説明を省略する。
【００１６】
図２は、図１の記録媒体再生装置１０の構成を示すブロック図である。記録媒体再生装置１０の動作を制御する制御部２０に、操作部１２、表示部１３、記憶部２１、及び記録媒体再生制御部２２が接続されている。更に、記録媒体再生制御部２２には記録媒体装填部１４が接続されている。
【００１７】
記憶部２１は制御部２０の動作プログラムや操作部１２のスイッチ１１ａ〜１１ｍの機能等を記憶している。また、記録媒体再生制御部２２は制御部２０の基で記録媒体の情報を読み出し、再生信号に変換する。
【００１８】
次に、記録媒体再生装置１０の動作を説明する。スイッチ１１ｃ〜１１ｆを操作することにより、一般的なＭＤ再生装置と同様に記録媒体を再生等することができる。その際、記録媒体再生装置１０は制御部２０でスイッチ１１ｃ〜１１ｆの信号を受け取り、受け取った信号の機能を記憶部２１から読み出し、記録媒体再生制御部２２に送る。それに応答して、記録媒体再生制御部２２は記録媒体装填部１４に装填されている記録媒体を再生等する。
【００１９】
次に、所望のトラックを指定して再生する場合について説明する。図３は、記録媒体再生装置１０の動作を示すフローチャートである。ステップＳ１０において、記録媒体が記録媒体装填部１４に装填されている状態で、再生／停止状態にかかわらずＵＰ／ＤＯＷＮキー１１ｂが押下されると、ステップＳ１１へ進んで再生するトラックを選択することができるトラック選択モードとなり、図４のようなトラック選択画面３０を表示部１３に表示する。図４で反転色のトラックが現在カーソルのある位置を示している。記録媒体の再生中であればカーソル位置を現在再生中のトラックに合わせて表示するようにしてもよい。また、記録媒体が停止状態であればトラック１にカーソル位置を合わせて表示させてもよい。なお、表示内容は図４のようにトラック番号とタイトルを表示してもよいし、トラックの番号のみを表示するようにしてもよい。
【００２０】
そして、ステップＳ１１からステップＳ１２へ進んで、ＵＰ／ＤＯＷＮキー１１ｂが押下されたか否かを判定する。ステップＳ１２においてＵＰ／ＤＯＷＮキー１１ｂが押下されると、ステップＳ１３へ進んでＵＰキー、ＤＯＷＮキーの何れかに応じて現在のカーソル位置を１トラック移動させ、その後ステップＳ１４へ進む。一方、ステップＳ１２においてＵＰ／ＤＯＷＮキー１１ｂが押下されないときは、そのままステップＳ１４へ進む。
【００２１】
ステップＳ１４では音量調節ツマミ１１ａが操作されたか否かを判定する。今はトラック選択モードであるので、ここでは音量調節ツマミは所定数（ここでは１０とする）のトラック毎にカーソル移動させる早送りスイッチとして機能する。時計回りに１目盛り回転させる毎にカーソル位置が１０トラックずつ進み、反時計回りに１目盛り回転させる毎にカーソル位置が１０トラックずつ戻る。
【００２２】
ステップＳ１４において音量調節ツマミ１１ａが操作されると、ステップＳ１５へ進んで音量調節ツマミ１１ａの回転方向に応じて現在のカーソル位置を１０トラック移動させ、その後ステップＳ１６へ進む。例えば、図４の状態で音量調節ツマミ１１ａを時計回りに１目盛り回転させると、表示部１３は図５のようにカーソルがトラック１５上にあるトラック選択画面４０を表示する。一方、ステップＳ１４において音量調節ツマミ１１ａが操作されないときは、そのままステップＳ１６へ進む。
【００２３】
ステップＳ１６では再生／一時停止キー１１ｃが押下されたか否かを判定する。トラック選択モードでの再生／一時停止キー１１ｃの機能はカーソル位置のトラックの再生を開始するものである。ステップＳ１６において再生／一時停止キー１１ｃが押下されると、所望のトラックが選択されたと判断し、ステップＳ１７へ進んでカーソル位置のトラックの再生を開始し、トラック選択モードを終了する。一方、ステップＳ１７において再生／一時停止キー１１ｃが押下されないときは、ステップＳ１８へ進む。
【００２４】
ステップＳ１８では停止キー１１ｄが押下されたか否かを判定する。ステップＳ１８において停止キー１１ｄが押下されると、トラック選択モードのキャンセルであると判断し、ステップＳ１９へ進んでトラック選択モードを解除、終了する。一方、ステップＳ１８において停止キー１１ｄが押下されないときは、まだトラック選択途中であると判断し、ステップＳ１２に戻る。
【００２５】
上記のトラック選択モードにおいて、例えば、トラック７５を選択したいときは、カーソルがトラック１上にある場合、音量調節ツマミ１１ａを時計回りに７目盛り回転させ、次にＵＰ／ＤＯＷＮキー１１ｂのＵＰキーを５回押下し、その後再生／一時停止キー１１ｃを押下すればよい。
【００２６】
上記の記録媒体再生装置１０によれば、従来のように操作部やリモコンに１０キーを採用していない場合でも、トラック選択モードにおいてＵＰ／ＤＯＷＮキー１１ｂと音量調節ツマミ（早送りスイッチ）１１ａを利用することにより、手間をかけずに少ない操作回数で所望のトラックを選択することができる。
【００２７】
なお、図４のステップＳ１５等で説明した早送りスイッチのカーソル移動の所定数は、予めユーザが任意の値を設定できるようにしてもよい。これにより、個々のユーザが使いやすい記録媒体再生装置を提供することができる。
【００２８】
また、上記の実施形態においては音量調節ツマミ１１ａに早送りスイッチの機能を兼用させたが、早送りスイッチは他のスイッチ１１ｅ〜１１ｍの何れかに兼用させてもよい。また、図１では音量調節ツマミ１１ａとして示しているが、ツマミに限定されることはなく、キーとしてもよいし、スライド式としてもよい。
【００２９】
また、早送りスイッチの機能は、１つ以上のスイッチに兼用させることができ、例えば、音量調節ツマミ１１ａには上記のように１０トラック毎に移動させる機能をもたせ、ＦＦキー１１ｅ及びＲＥＷキー１１ｆには５０トラック毎に移動させる機能をもたせてもよい。更には、他のキーに異なった所定数毎に移動させる機能をもたせることもできる。
【００３０】
また、早送りスイッチによる所定数のトラックのカーソル移動は、表示されているトラック数に合わせて１回押下する毎に１画面ずつ送るようにすると、トラック番号が連続して画面が切り替わるので見やすい画面となり、使用しやすくなる。
【００３１】
なお、本発明において表示部は別体の表示装置とし、記録媒体再生装置には表示装置との接続端子を設けてもよい。
【００３２】
なお、本発明の記録媒体再生装置は上記の実施形態で説明した車載用のＭＤ再生装置に限定されることはなく、複数のセッションやファイルやトラックが記録された記録媒体の再生装置に適用することができ、例えば、ＣＤ再生装置、ＤＶＤ再生装置等に利用することができる。特に、車載用装置やポータブル装置等の１０キーを設けるスペースのない小型の装置に有効に利用することができる。
【００３３】
【発明の効果】
本発明の記録媒体再生装置によれば、それぞれ機能が与えられた複数のスイッチを有する操作部を備え、該操作部は、１トラック毎のトラックジャンプを選択する第１のスイッチと、２以上の所定数のトラック毎のトラックジャンプを選択する第２のスイッチとを備えることにより、スペースやデザインのため従来のように１０キーを採用できない場合でも、前記第１のスイッチと前記第２のスイッチを効率的に利用することにより、手間をかけずに少ない操作回数で所望のデータを選択することができる。
【００３４】
また本発明によれば、前記第２のスイッチは、モードの切替えによって、トラックの選択が可能なモードの場合はトラックジャンプを選択するスイッチとして機能し、トラックの選択が可能でないモードの場合はトラックジャンプを選択する以外のスイッチとして機能することにより、前記第２のスイッチを単独のスイッチとして設ける必要がない。即ち、他の機能を有したスイッチと兼用してデータの選択時のみトラックの選択スイッチとして機能するようにすることができ、操作部のスペースを有効に利用することができる。
【００３５】
また本発明によれば、前記第２のスイッチは、トラックの選択が可能でないモードの場合は、再生時の音量を調整する音量調整スイッチとして機能することができる。通常、音量調節スイッチとしてはツマミが採用されることが多く、該ツマミを回転させることにより、より素早く容易に所望のデータを選択することができる。
【００３６】
また本発明によれば、前記第１のスイッチは、１トラック毎のトラックジャンプを選択するスイッチと、モードの切替えを行うモード切替えスイッチと兼用とすることができる。トラックの選択に関する能のスイッチを押下すればトラックの選択が可能なモードになるので、専用のモード選択キー等を設ける必要がなく、更に使用者は迷うことなくモードの切替えを行うことができる。
【００３７】
また本発明によれば、前記音量調整スイッチの音量の大きさを表す目盛りに対応したトラック数のトラックジャンプを行うことができ、使用者は目盛りを見ながらトラックジャンプさせる数がわかる。
【図面の簡単な説明】
【図１】本発明の記録媒体再生装置の正面図である。
【図２】図１の記録媒体再生装置の構成を示すブロック図である。
【図３】本発明の記録媒体再生装置の動作を示すフローチャートである。
【図４】表示部に表示されたトラック選択画面を示す図である。
【図５】表示部に表示された他のトラック選択画面を示す図である。
【符号の説明】
１０　　記録媒体再生装置
１１ａ　音量調節ツマミ
１１ｂ　ＵＰ／ＤＯＷＮキー（順送りスイッチ）
１２　　操作部
【図１】
2004103062.tif 000003
【図２】
2004103062.tif 000004
【図３】
2004103062.tif 000005
【図４】
2004103062.tif 000006
【図５】
2004103062.tif 000007